(57)【要約】【課題】太陽電池モジュールの撤去後に、建物の防水性および美観を維持できる金具を得ること。【解決手段】棟から軒に向って下り傾斜となっている傾斜屋根７０に取り付けられる金具１である。金具１は、貫通孔が形成されて貫通孔に通したねじ５で傾斜屋根７０に固定される底面部２と、底面部２から立ち上げられた立上げ部８と、を有する固定部１ａと、底面部２に載置されて固定部１ａと連結される連結部１ｂと、を備える。連結部１ｂは、底面部２と対向する天面部９と、天面部９から底面部２に向けて突出する第１の突出部１６と、を有する。立上げ部８と第１の突出部１６とには、互いに対向する位置に連通孔１０，１７が形成されている。立上げ部８は、棟側を向いた平面である棟側面８ａを有する形状である。天面部９のうち底面部２を向く面と反対側を向く面である天面９ａは、傾斜屋根７０の傾斜に沿った平面である。【選択図】図１
2019078095.tif 000002
【特許請求の範囲】
【請求項１】
棟から軒に向って下り傾斜となっている傾斜屋根に取り付けられる金具であって、
貫通孔が形成されて前記貫通孔に通したねじで前記傾斜屋根に固定される底面部と、前記底面部から立ち上げられた立上げ部と、を有する固定部と、
前記底面部に載置されて前記固定部と連結される連結部と、を備え、
前記連結部は、前記底面部と対向する天面部と、前記天面部から前記底面部に向けて突出する第１の突出部と、を有し、
前記立上げ部と前記第１の突出部とには、互いに対向する位置に連通孔が形成され、
前記立上げ部は、前記棟側を向いた平面である棟側面を有する形状であり、
前記天面部のうち前記底面部を向く面と反対側を向く面である天面は、前記傾斜屋根の傾斜に沿った平面であることを特徴とする金具。
【請求項２】
前記第１の突出部は、前記立上げ部から離れた位置に形成され、前記底面部に当接することを特徴とする請求項１に記載の金具。
【請求項３】
前記天面部には、前記立上げ部の上端が嵌まる溝が形成されていることを特徴とする請求項２に記載の金具。
【請求項４】
前記第１の突出部は、前記立上げ部に当接する位置に形成されることを特徴とする請求項１に記載の金具。
【請求項５】
前記連結部は、前記第１の突出部よりも棟側となる位置において前記天面部から前記底面部に向けて突出されて前記底面部に当接する第２の突出部を有することを特徴とする請求項４に記載の金具。
【請求項６】
前記立上げ部の形状は、前記棟側面を有する板状形状であることを特徴とする請求項１から５のいずれか１つに記載の金具。
【請求項７】
前記立上げ部の形状は、前記棟側面と、前記棟側面の上端から前記軒側かつ前記底面部に向けて延びるテーパ面と、を有する形状であることを特徴とする請求項１から５のいずれか１つに記載の金具。
【請求項８】
前記底面部には、前記傾斜屋根の屋根材に用いられた瓦の水返しを避ける段差形状を有していることを特徴とする請求項４に記載の金具。
【請求項９】
棟から軒に向って下り傾斜となっている傾斜屋根に取り付けられる金具であって、
貫通孔が形成されて前記貫通孔に通したねじで前記傾斜屋根に固定される底面部と、
前記底面部から立ち上げられた立上げ部と、
前記底面部から立ち上げられて前記立上げ部よりも軒側に設けられた対向部と、
前記立上げ部の上端と前記対向部の上端とを連結して前記底面部に対向する天面部と、を備え、
前記立上げ部は、前記棟側を向いた平面である棟側面を有する形状であり、
前記天面部のうち前記底面部を向く面と反対側を向く面である天面は、前記傾斜屋根の傾斜に沿った平面であり、
前記対向部は、前記天面部に向うにしたがって前記立上げ部に近接するテーパ面を有することを特徴とする金具。
【請求項１０】
棟から軒に向って下り傾斜となっている傾斜屋根に取り付けられた請求項１から９のいずれか１つに記載の金具と、
前記金具を介して前記傾斜屋根に固定された太陽電池モジュールと、を備えることを特徴とする太陽電池システム。
【発明の詳細な説明】
【技術分野】
【０００１】
本発明は、太陽電池モジュールの屋根への固定に用いられる金具およびその金具を用いた太陽電池システムに関する。
【背景技術】
【０００２】
太陽電池モジュールは、屋根の上に設置される場合に、屋根に固定された金具を介して屋根に固定される。金具には、太陽電池モジュールが直接または間接的に載置される載置面が形成されている。また、載置面は屋根と平行に形成されている。このような金具は、特許文献１に開示されているように、屋根の下地材にねじ込まれたねじによって固定される。金具を固定するねじは、屋根に設けられた防水層を貫通する。
【先行技術文献】
【特許文献】
【０００３】
【特許文献１】特開２０１３−１７７７３６号公報
【発明の概要】
【発明が解決しようとする課題】
【０００４】
金具を用いて屋根の上に設置された太陽電池モジュールを、何らかの理由によって屋根から撤去する場合がある。この場合、雨漏りを防ぐ観点からは、金具を屋根の上に残すことで、防水層に形成された穴をねじで塞いだままにしておくことが望ましい。一方、意匠性の観点からは、太陽電池モジュールが直接または間接的に載置される載置面が金具に設けられているため、屋根の上で金具が目立って建物の美観を損なうおそれがあり、金具も撤去することが望ましい。
【０００５】
本発明は、上記に鑑みてなされたものであって、太陽電池モジュールの撤去後に、建物の防水性および美観を維持できる金具を得ることを目的とする。
【課題を解決するための手段】
【０００６】
上述した課題を解決し、目的を達成するために、本発明は、棟から軒に向って下り傾斜となっている傾斜屋根に取り付けられる金具である。金具は、貫通孔が形成されて貫通孔に通したねじで傾斜屋根に固定される底面部と、底面部から立ち上げられた立上げ部と、を有する固定部と、底面部に載置されて固定部と連結される連結部と、を備える。連結部は、底面部と対向する天面部と、天面部から底面部に向けて突出する第１の突出部と、を有する。立上げ部と第１の突出部とには、互いに対向する位置に連通孔が形成されている。立上げ部は、棟側を向いた平面である棟側面を有する形状である。天面部のうち底面部を向く面と反対側を向く面である天面は、傾斜屋根の傾斜に沿った平面である。
【発明の効果】
【０００７】
本発明によれば、太陽電池モジュールの撤去後に、建物の防水性および美観を維持できる金具を得ることができるという効果を奏する。
【図面の簡単な説明】
【０００８】
【図１】本発明の実施の形態１にかかる金具の側面図
【図２】実施の形態１における固定部の斜視図
【図３】実施の形態１における固定部の側面図
【図４】実施の形態１における連結部の斜視図
【図５】実施の形態１における連結部の側面図
【図６】実施の形態１にかかる金具を用いた太陽電池モジュールの設置手順を説明するための斜視図
【図７】実施の形態１にかかる金具を用いた太陽電池モジュールの設置手順を説明するための側面図
【図８】実施の形態１にかかる金具を用いた太陽電池モジュールの設置手順を説明するための側面図
【図９】実施の形態１にかかる金具を用いた太陽電池モジュールの設置手順を説明するための側面図
【図１０】実施の形態１にかかる金具を用いた太陽電池モジュールの設置手順を説明するための側面図
【図１１】図１０に示すＸＩ−ＸＩ線に沿った断面図
【図１２】実施の形態１にかかる金具を用いた太陽電池モジュールの設置手順を説明するための側面図
【図１３】図１２に示すＸＩＩＩ−ＸＩＩＩ線に沿った断面図
【図１４】実施の形態１にかかる金具を用いた太陽電池モジュールの設置手順を説明するための側面図
【図１５】太陽電池モジュールおよび縦桟を撤去後の実施の形態１における金具を示す側面図
【図１６】本発明の実施の形態２にかかる金具の側面図
【図１７】実施の形態２における固定部の斜視図
【図１８】実施の形態２にかかる固定部の側面図
【図１９】実施の形態２における連結部の斜視図
【図２０】実施の形態２における連結部の側面図
【図２１】本発明の実施の形態３にかかる金具の斜視図
【図２２】実施の形態３にかかる金具の側面図
【図２３】本発明の実施の形態４にかかる金具の側面図
【図２４】実施の形態４における固定部の側面図
【図２５】実施の形態４における連結部の側面図
【図２６】実施の形態４にかかる金具を用いて太陽電池モジュールを傾斜屋根に設置した状態を示す斜視図
【図２７】実施の形態４にかかる金具を用いて太陽電池モジュールを傾斜屋根に設置した状態を示す側面図
【図２８】太陽電池モジュールおよび縦桟を撤去後の実施の形態４における金具を示す側面図
【発明を実施するための形態】
【０００９】
以下に、本発明の実施の形態にかかる金具および太陽電池システムを図面に基づいて詳細に説明する。なお、この実施の形態によりこの発明が限定されるものではない。
【００１０】
実施の形態１．
図１は、本発明の実施の形態１にかかる金具の側面図である。金具１は、固定部１ａと連結部１ｂとを備える。金具１は、棟から軒に向って下り傾斜となっている傾斜屋根７０に太陽電池モジュールを設置する際に用いられる。なお、図１では、紙面の右側が棟側であり、紙面の左側が軒側である。また、図面において、理解容易化のためにハッチングおよび部材の一部を省略して示す場合がある。また、本実施の形態１で例示する傾斜屋根７０は、下地材４の表面が屋根材であるスレート屋根材３で覆われた構成となっている。なお、屋根材は、金属屋根材であってもよい。
【００１１】
図２は、実施の形態１における固定部１ａの斜視図である。図３は、実施の形態１における固定部１ａの側面図である。固定部１ａは、傾斜屋根７０にねじ５で固定される底面部２を有する。底面部２は、スレート屋根材３の表面に平行な板状の形状であり、ねじ５を貫通させる貫通孔６が形成されている。貫通孔６を貫通させたねじ５を傾斜屋根７０にねじ込むことで、底面部２が傾斜屋根７０に固定される。
【００１２】
底面部２のうちスレート屋根材３に対向する面である裏面２ｂには、ブチルシート７が貼り付けられている。スレート屋根材３と下地材４との間には、雨漏りを防ぐための図示しない防水層が形成されている。スレート屋根材３および下地材４にねじ込まれたねじ５によって防水層にも穴が形成されるが、ブチルシート７によって穴からの雨漏りが防止される。
【００１３】
底面部２のうち裏面２ｂと反対側を向く表面２ａには、連結部１ｂを引っ掛けるための爪部１１が形成されている。図３に示すように、爪部１１は、表面２ａから突出させた凸部が棟側に折り曲げられたＬ字形状となっている。
【００１４】
固定部１ａには、軒側の端部から表面２ａ側に立ち上げられた立上げ部８が形成されている。立上げ部８は、棟側を向いた平面である棟側面８ａを有する板状の形状となっている。立上げ部８には、傾斜屋根７０の傾斜方向と平行に貫通する連通孔１０が形成されている。
【００１５】
図４は、実施の形態１における連結部１ｂの斜視図である。図５は、実施の形態１における連結部１ｂの側面図である。連結部１ｂは、底面部２と対向する天面部９を有する。天面部９は、板状の形状であり、天面部９のうち底面部２を向く面と反対側を向く面である天面９ａは、傾斜屋根７０の傾斜に沿った平面である。
【００１６】
連結部１ｂには、天面部９の棟側の端部９ｂから底面部２に向けて突出する第１の突出部である壁部１６が形成されている。壁部１６は、天面部９側の反対側の端部である先端部１６ａが、底面部２に当接する。壁部１６の先端部１６ａには、立上げ部８に向って延びる差込部８１が形成されている。差込部８１は、固定部１ａの底面部２と爪部１１との間のすき間に差し込まれる。
【００１７】
壁部１６には、傾斜屋根７０の傾斜方向と平行に貫通する連通孔１７が形成されている。立上げ部８に形成された連通孔１０と、壁部１６に形成された連通孔１７とは互いに対向している。図１に示すように、連通孔１０と連通孔１７とに軸部２１ａを貫通させたボルト２１が設けられる。ボルト２１の軸部２１ａにはナット２２が嵌め込まれている。ボルト２１とナット２２とによって、底面部２と連結部１ｂとが連結される。
【００１８】
天面部９の軒側の端部９ｃには、底面部２側が開放された溝１５が形成されている。溝１５は、傾斜屋根７０の傾斜方向に互いに離れて形成された壁８２，８３によって形成されている。溝１５は、傾斜屋根７０の傾斜方向と垂直かつ天面９ａと平行に延びている。溝１５には、底面部２の立上げ部８の上端が嵌まる。なお、以下の説明において、傾斜屋根７０の傾斜方向と垂直かつ天面９ａと平行な方向を桁方向とも称する。
【００１９】
天面部９は、棟側で壁部１６が底面部２に当接し、軒側で溝１５に立上げ部８が嵌まることで、天面９ａが傾斜屋根７０と平行となる姿勢に保持される。また、天面部９には、ボルト１８の軸部を貫通させることのできる孔１９が形成されている。
【００２０】
次に、金具１を用いて傾斜屋根７０への太陽電池モジュールの設置手順を説明する。図６は、実施の形態１にかかる金具１を用いた太陽電池モジュールの設置手順を説明するための斜視図である。図７は、実施の形態１にかかる金具１を用いた太陽電池モジュールの設置手順を説明するための側面図である。図６および図７に示すように、太陽電池モジュール２０は、傾斜屋根７０に固定された金具１の上に載置された縦桟１２上に固定されて設置される。
【００２１】
図８は、実施の形態１にかかる金具１を用いた太陽電池モジュール２０の設置手順を説明するための側面図である。図９は、実施の形態１にかかる金具１を用いた太陽電池モジュール２０の設置手順を説明するための側面図である。図１０は、実施の形態１にかかる金具１を用いた太陽電池モジュール２０の設置手順を説明するための側面図である。図１１は、図１０に示すＸＩ−ＸＩ線に沿った断面図である。図１２は、実施の形態１にかかる金具１を用いた太陽電池モジュール２０の設置手順を説明するための側面図である。図１３は、図１２に示すＸＩＩＩ−ＸＩＩＩ線に沿った断面図である。図１４は、実施の形態１にかかる金具１を用いた太陽電池モジュール２０の設置手順を説明するための側面図である。
【００２２】
まず、図８に示すように、固定部１ａがねじ５で傾斜屋根７０に固定される。ねじ５は、例えば木ねじである。ねじ５は、例えば傾斜屋根７０の下側に設けられた垂木に打ち込むことで、太陽電池モジュール２０の負圧荷重等を考慮した固定強度を得られるようにすることが望ましい。
【００２３】
次に、図９に示すように、連結部１ｂが、固定部１ａに対して桁方向からスライドして挿入され、ボルト２１およびナット２２で固定される。これにより、金具１の傾斜屋根７０への固定が完了する。
【００２４】
次に、図１０および図１１に示すように、金具１の天面９ａに縦桟１２が固定される。縦桟１２は、傾斜屋根７０の傾斜方向に沿って延びている。図６および図７に示すように、縦桟１２は、複数の金具１に支持される。すなわち、複数の金具１は、傾斜屋根７０の傾斜方向に沿って間隔を空けて配置される。縦桟１２の固定には、図１にも示した天面部９の孔１９に設けられたボルト１８とナット２４が用いられる。
【００２５】
次に、図１２および図１３に示すように、縦桟１２の上にモジュール固定金具２５が載置され、縦桟１２の中に挿入されたナット２７にボルト２６で仮固定される。ナット２７は、縦桟１２の中で空回りしない形状となっている。仮固定により、モジュール固定金具２５とボルト２６とナット２７とが一体化される。縦桟１２の上面には傾斜屋根７０の傾斜方向に沿って延びる開口部が形成されている。その開口部にボルト２６の軸部が通され、開口部の上下をボルト２６の頭部とナット２７とで、ボルト２６が移動可能な程度に軽く挟まれる。これにより、モジュール固定金具２５とボルト２６とナット２７とは、縦桟１２について傾斜屋根７０の傾斜方向に自由に移動可能な状態で一体化される。
【００２６】
次に、図１２、図１３および図１４に示すように、縦桟１２の上に、軒側の太陽電池モジュール２０、モジュール固定金具２５、棟側の太陽電池モジュール２０の順に配置され、それぞれを密着させた状態で、ボルト２６を増し締めすることにより、金具１によって太陽電池モジュール２０が縦桟１２上に本固定された太陽電池システムが構成される。
【００２７】
モジュール固定金具２５は、仮固定の段階では傾斜屋根７０の傾斜方向に沿って自由に移動可能なので、傾斜屋根７０の傾斜方向に沿った任意の位置に太陽電池モジュール２０を固定することができる。
【００２８】
図１５は、太陽電池モジュール２０および縦桟１２を撤去後の実施の形態１における金具１を示す側面図である。何らかの理由で太陽電池モジュール２０を撤去する場合には、図１５に示す状態とすることで、金具１を雪止め金具として利用することが可能となる。具体的には、モジュール固定金具２５、太陽電池モジュール２０、縦桟１２、連結部１ｂを撤去し、傾斜屋根７０の上に固定部１ａを残す。固定部１ａの立上げ部８には、棟側を向く棟側面８ａが形成されており、この棟側面８ａが傾斜屋根７０に堆積した雪が滑り落ちるのを防ぐ雪止め面として機能する。これにより、傾斜屋根７０に残った固定部１ａを、雪止め金具として利用できる。
【００２９】
また、傾斜屋根７０の防水層を貫通したねじ５を外す必要がないため、ねじ５の貫通によって形成された防水層の穴は、太陽電池モジュール２０の撤去後もねじ５によって塞がれた状態となる。そのため、ねじ５の貫通によって形成された防水層の穴からの雨漏りが防がれる。また、連結部１ｂの撤去によって、太陽電池モジュール２０が載置される最低面である天面９ａも撤去されるため、金具１の存在が目立たなくなり、建物の美観が維持される。このように、本実施の形態１にかかる金具１を用いて太陽電池モジュール２０を設置することで、太陽電池モジュール２０の撤去後も建物の防水性および美観を維持することが可能となる。
【００３０】
金具１の材料は、例えば金属である。金具１は屋外に設置されるため、耐食性に優れるアルミ材またはステンレス材を用いたり、メッキまたは錆止めの塗装等の表面処理を行ったりすることが望ましい。また、Ｌ字状のアングルを桁方向に沿って延びるように配置し、連通孔１０で締結することで、さらに雪止め効果を向上させることも可能である。
【００３１】
実施の形態２．
図１６は、本発明の実施の形態２にかかる金具１の側面図である。図１７は、実施の形態２における固定部１ａの斜視図である。図１８は、実施の形態２にかかる固定部１ａの側面図である。図１９は、実施の形態２における連結部１ｂの斜視図である。図２０は、実施の形態２における連結部１ｂの側面図である。なお、上記実施の形態１と同様の構成については、同様の符号を付して詳細な説明を省略する。
【００３２】
実施の形態２にかかる金具１が備える固定部１ａでは、立上げ部８に、棟側面８ａに加えて、棟側面８ａの上端から軒側かつ底面部２に向けて延びるテーパ面８ｂが形成されている。具体的には、棟側面８ａが形成された板状の部分と、テーパ面８ｂが形成された板状の部分とが組み合わされて、立上げ部８全体で側面から見て三角形形状を形成する。棟側面８ａが形成された板状の部分であって連通孔１０の周囲となる部分には、フランジ付ナット３８を保持するとともに空回りを防ぐリブ３０が形成されている。テーパ面８ｂを有する板状の部分によって、フランジ付ナット３８が見えにくくなるため、建物の意匠性の向上が図られる。
【００３３】
連結部１ｂでは、天面部９の軒側の端部９ｃから底面部２に向けて延びる壁部３４が第１の突出部となる。壁部３４には、連通孔３５が形成されている。壁部３４は、固定部１ａの立上げ部８に当接する。立上げ部８に形成された連通孔１０と壁部３４に形成された連通孔３５とに軸部を貫通させたボルト３７とフランジ付ナット３８とで、固定部１ａと連結部１ｂとが連結される。
【００３４】
天面部９の棟側の端部９ｂからは、実施の形態１と同様に底面部２に向けて突出する壁部１６が形成されている。壁部１６には、連通孔１７が形成されており、ボルト３７を締結するための工具が連通孔１７を通して挿入可能となっている。壁部１６の先端部１６ａと壁部３４の先端部３４ａは、底面部２の表面２ａに当接する。なお、底面部２に形成された爪部１１の折り曲げ方向と、壁部１６に形成された差込部８１の延びる方向は、実施の形態１とは逆の方向となっている。
【００３５】
棟側面８ａを有する立上げ部８を三角形状とすることで、立上げ部８の強度の向上を図ることができる。したがって、太陽電池モジュール２０の撤去後に、固定部１ａを残した場合に、傾斜屋根７０に堆積した雪からの荷重によって立上げ部８が変形することを抑制できる。また、Ｌ字状のアングルを桁方向に沿って延びるように配置し、連通孔１０で締結することで、さらに雪止め効果を向上させることも可能である。
【００３６】
なお、天面部９の軒側の端部９ｃに、実施の形態１と同様に溝を形成して、立上げ部８の上端が嵌まるように構成してもよい。この場合には、立上げ部８の形状に合わせて溝の形状も側面から見て三角形状とすることが好ましい。
【００３７】
実施の形態３．
図２１は、本発明の実施の形態３にかかる金具の斜視図である。図２２は、実施の形態３にかかる金具の側面図である。なお、上記実施の形態１，２と同様の構成については同様の符号を付して詳細な説明を省略する。
【００３８】
実施の形態３にかかる金具４３では、底面部３９と天面部４１とが、立上げ部である壁部４０と対向部である壁部４２とで連結されて一体に形成されている。これは、壁部４０の上端と壁部４２の上端とが天面部４１で連結され、壁部４０の下端と壁部４２の下端とが底面部３９で連結されていると換言できる。壁部４０は、底面部３９に対して垂直であって棟側を向く平面である棟側面４０ａを有する板状形状となっている。壁部４２は、底面部３９から上方に離れて天面部４１に向かうにしたがって壁部４０に近接するテーパ面４２ａを有する板状形状となっている。天面部４１は、傾斜屋根７０の傾斜に沿った天面４１ａを有する。天面４１ａは、縦桟１２が載置される載置面となる。
【００３９】
図２２に示すように、底面部３９と天面部４１と壁部４０，４２とで、側方から見て台形形状を構成する。これにより、太陽電池モジュール２０を支持する強度を確保しつつ、天面４１ａの縮小化を図ることができる。
【００４０】
太陽電池モジュール２０の撤去後に、金具４３を残すことで、棟側面４０ａによって雪止めの機能を発揮させつつ、天面４１ａの縮小化によって建物の美観の維持を図ることができる。また、金具４３を固定するねじを残すことで雨漏りの防止も可能となる。また、金具４３は、固定部と連結部とに分かれていないため、連結させる作業が不要となる。これにより、太陽電池モジュールの設置工事の施工性の向上を図ることができる。
【００４１】
実施の形態４．
図２３は、本発明の実施の形態４にかかる金具８５の側面図である。金具８５は、瓦４５が屋根材に用いられている傾斜屋根７１に太陽電池モジュール２０を固定するために用いられる。金具８５は、固定部４４と連結部５４とを備える。図２４は、実施の形態４における固定部４４の側面図である。図２５は、実施の形態４における連結部５４の側面図である。図２６は、実施の形態４にかかる金具８５を用いて太陽電池モジュール２０を傾斜屋根７１に設置した状態を示す斜視図である。図２７は、実施の形態４にかかる金具８５を用いて太陽電池モジュール２０を傾斜屋根７１に設置した状態を示す側面図である。
【００４２】
固定部４４は、屋根下地材４６にねじ６０で固定される底面部４７を有している。底面部４７には、固定部４４をねじ６０で固定するための貫通孔４４ａが形成されている。底面部４７は、瓦４５の水返し形状を避けるための斜面部４８および平面部４９からなる段差形状を有している。さらには瓦上面と接する接触部５０を有している。固定部４４は、底面部４７から上方に立ち上げられた立上げ部５１を有する。立上げ部５１には、棟側を向く棟側面５１ａが形成されている。上述した各実施の形態と同様に、棟側面５１ａが形成されていることで、太陽電池モジュール２０の撤去後に固定部４４が雪止め金具として機能する。立上げ部５１には、四角孔５３が形成されている。
【００４３】
立上げ部５１には、根角ボルト５２を通す四角穴５３が設けられる。連結部５４は、側面から見てＬ字形の形状となっている。連結部５４は、底面部４７に対向する天面部５４を有する。天面部５４は、縦桟が載置される天面５６ａを有する。天面部５４には、縦桟１２を固定する際にボルトの軸部が貫通される孔５８が形成されている。天面部５４の軒側の端部５６ｂには、底面部４７に向けて突出する第１の突出部である壁部５５が形成されている。壁部５５には、四角孔５７が形成されている。
【００４４】
壁部５５を立上げ部５１に当接させて、四角孔５３と四角孔５７とに根角ボルト５２の軸部を通し、軸部にナット６１を取りつけることで、固定部４４と連結部５４とが連結される。根角ボルト５２を用いることで、天面部５６の回転が防がれる。
【００４５】
図２８は、太陽電池モジュール２０および縦桟１２を撤去後の実施の形態４における金具８５を示す側面図である。本実施の形態４でも、太陽電池モジュール２０の撤去時に、固定部４４を残すことで、立上げ部５１に形成された棟側面５１ａが雪の滑り落ちを防ぐ雪止め面として機能する。すなわち、固定部４４を雪止め金具として利用できる。また、連結部５４を撤去することで、金具８５の存在が目立たなくなり、建物の美観が維持される。また、金具８５を残すことで、ねじ６０の貫通によって形成された防水層の孔を塞ぐ作業が不要となる。
【００４６】
なお、上記実施の形態１から４にかかる金具は、太陽電池モジュール２０の片持ち長さや両持ち長さの制限を満足し、かつ施工時の金具の位置出しの簡易化を図るために傾斜屋根の傾斜方向および桁方向に同一線上に配置されることが一般的である。
【００４７】
また、実施の形態１から４の太陽電池モジュール２０の取り付けは縦桟１２を使用して設置をしているが、支持金具の天面に太陽電池モジュール２０のフレームが直接配置できる場合は、縦桟１２を使用する必要はない。
【００４８】
また、積雪の少ない地域に設置する場合であっても、雨漏りを防ぐ観点から太陽電池モジュール２０を撤去する際には固定部等を残すことが好ましい。
【００４９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５０】
１  金具、１ａ  固定部、１ｂ  連結部、２  底面部、２ａ  表面、２ｂ  裏面、３  スレート屋根材、４  下地材、５  ねじ、６  貫通孔、７  ブチルシート、８  立上げ部、８ａ  棟側面、８ｂ  テーパ面、９  天面部、９ａ  天面、９ｂ，９ｃ  端部、１０  連通孔、１１  爪部、１２  縦桟、１５  溝、１６  壁部、１６ａ  先端部、１７  連通孔、１８  ボルト、１９  孔、２０  太陽電池モジュール、２１  ボルト、２１ａ  軸部、２２  ナット、２５  モジュール固定金具、２６  ボルト、２７  ナット、３０  リブ、３４  壁部、３４ａ  先端部、３５  連通孔、３７  ボルト、３８  フランジ付ナット、３９  底面部、４０  壁部、４０ａ  棟側面、４１  天面部、４１ａ  天面、４２  壁部、４２ａ  テーパ面、４３  金具、４４  固定部、４５  瓦、４６  屋根下地材、４７  底面部、４８  斜面部、４９  平面部、５１  立上げ部、５１ａ  棟側面、５３  四角孔、５４  連結部、５６  天面部、５６ａ  天面、５６ｂ  端部、５７  四角孔、６１  ナット、７０，７１  傾斜屋根、８１  差込部、８２，８３  壁、８５  金具。
【図１】
2019078095.tif 000003
【図２】
2019078095.tif 000004
【図３】
2019078095.tif 000005
【図４】
2019078095.tif 000006
【図５】
2019078095.tif 000007
【図６】
2019078095.tif 000008
【図７】
2019078095.tif 000009
【図８】
2019078095.tif 000010
【図９】
2019078095.tif 000011
【図１０】
2019078095.tif 000012
【図１１】
2019078095.tif 000013
【図１２】
2019078095.tif 000014
【図１３】
2019078095.tif 000015
【図１４】
2019078095.tif 000016
【図１５】
2019078095.tif 000017
【図１６】
2019078095.tif 000018
【図１７】
2019078095.tif 000019
【図１８】
2019078095.tif 000020
【図１９】
2019078095.tif 000021
【図２０】
2019078095.tif 000022
【図２１】
2019078095.tif 000023
【図２２】
2019078095.tif 000024
【図２３】
2019078095.tif 000025
【図２４】
2019078095.tif 000026
【図２５】
2019078095.tif 000027
【図２６】
2019078095.tif 000028
【図２７】
2019078095.tif 000029
【図２８】
2019078095.tif 000030